(57)【要約】【課題】農業用水を管理するための異なる機器のバルブのノブの大きさが異なる場合でも開閉に共通で使用することができ、しかも、操作性に優れたバルブ開閉具を提供する。【解決手段】頂部２１，３７から下方に延びる六角筒状に形成されて、第１のバルブのノブに嵌合可能な第１の嵌合部２４と、第１の嵌合部２４の外側でかつ下側に円筒状に形成され、下端縁３５を６等分する位置に切欠き部３６が設けられて、第２のバルブのノブに嵌合可能な第２の嵌合部３２と、を有する開閉具本体２と、この開閉具本体２の頂部２１，３７から上方に延びるハンドル３と、を備えている。【選択図】図１
0003132470.tif 000002
【実用新案登録請求の範囲】
【請求項１】
農業用水用のバルブを開閉するバルブ開閉具において、
頂部から下方に延びる六角筒状に形成されて、第１のバルブのノブに嵌合可能な第１の嵌合部と、
前記第１の嵌合部の外側でかつ下側に円筒状に形成され、下端縁を６等分する位置に切欠き部が設けられて、第２のバルブのノブに嵌合可能な第２の嵌合部と、を有する開閉具本体と、
前記開閉具本体の前記頂部から上方に延びるハンドルと、を備えた、
ことを特徴とするバルブ開閉具。
【請求項２】
前記開閉具本体が、前記第１の嵌合部と前記第２の嵌合部とをそれぞれ有する部材を、組み合わせて構成されている、
ことを特徴とする請求項１に記載のバルブ開閉具。
【請求項３】
前記開閉具本体が、前記第１の嵌合部と前記第２の嵌合部とが一体的に構成されている、
ことを特徴とする請求項１に記載のバルブ開閉具。
【請求項４】
前記ハンドルは、前記開閉具本体の下端を着地させた状態で、かつ使用者が直立姿勢で腕を垂らした状態において、手の近傍に把手を有する、
ことを特徴とする請求項１ないし３のいずれか１項に記載のバルブ開閉具。
【考案の詳細な説明】
【技術分野】
【０００１】
本考案は、農業用水用のバルブを開閉するためのバルブ開閉具に関する。
【背景技術】
【０００２】
農業用水を管理する機器として、例えば、自動給水栓や流量調整弁が知られている。前者の自動給水栓（特許文献１参照）は、人手によりバルブのノブを回して高い水位と低い水位とを設定すると、水田の水の水位がこの間となるように自動的に給水を行うものである。一方、後者の流量調整弁は、同じく人手によってバルブのノブを回すことで、水田に供給する水の流量を調整するものである。
【特許文献１】特開２００３−２３９２６５号公報
【考案の開示】
【考案が解決しようとする課題】
【０００３】
上述の自動給水栓は、水位を設定するものであるため、バルブのノブは比較的大きさが小さい。これに対し、流量調整弁は、直接、流量を調整するものであるため、バルブのノブは比較的大きさが大きい。これらのノブは、手で直接、あるいは簡単な開閉具を使って開閉することになる。
【０００４】
ところが、開閉具を使用する場合には、上述のように自動給水栓と流量調整弁とで、バルブのノブの大きさが異なるため、それぞれ専用の開閉具が必要となる。また、自動給水栓や流量調整弁は、必ずしも操作しやすい箇所に設置されているとは限らず、したがって、これらのバルブのノブを手で直接操作するにしろ、開閉具で操作するにしろ、操作性が悪い場合があった。例えば、地面と同程度の高さに設置されている場合には、作業者は、かがみこんでの操作が強いられ、また、低い位置に設置されている場合には、腕を下方に腕を伸ばすようにして操作する必要がある。
【０００５】
そこで、本考案は、農業用水を管理するための異なる機器のバルブのノブの大きさが異なる場合でも開閉に共通で使用することができ、しかも、操作性に優れたバルブ開閉具を提供することを目的とするものである。
【課題を解決するための手段】
【０００６】
請求項１に係る考案は、農業用水用のバルブを開閉するバルブ開閉具に関する。この考案に係るバルブ開閉具は、頂部から下方に延びる六角筒状に形成されて、第１のバルブのノブに嵌合可能な第１の嵌合部と、前記第１の嵌合部の外側でかつ下側に円筒状に形成され、下端縁を６等分する位置に切欠き部が設けられて、第２のバルブのノブに嵌合可能な第２の嵌合部と、を有する開閉具本体と、前記開閉具本体の前記頂部から上方に延びるハンドルと、を備えた、ことを特徴としている。
【０００７】
請求項２に係る考案は、請求項１に係るバルブ開閉具において、前記開閉具本体が、前記第１の嵌合部と前記第２の嵌合部とをそれぞれ有する部材を、組み合わせて構成されている、ことを特徴としている。
【０００８】
請求項３に係る考案は、請求項１に係るバルブ開閉具において、前記開閉具本体が、前記第１の嵌合部と前記第２の嵌合部とが一体的に構成されている、ことを特徴としている。
【０００９】
請求項４に係る考案は、請求項１ないし３のいずれか１項に係るバルブ開閉具において、前記ハンドルは、前記開閉具本体の下端を着地させた状態で、かつ使用者が直立姿勢で腕を垂らした状態において、手の近傍に把手を有する、ことを特徴としている。
【考案の効果】
【００１０】
請求項１の考案によると、それぞれノブの大きさが異なるバルブを、共通のバルブ開閉具で開閉することができる。また、ハンドルが付いているので、これを使用することで操作性を高めることができる。
【００１１】
請求項２の考案、請求項３の考案のように、バルブ開閉具は、複数の部材を組み合わせて構成することも、また、一体に構成することもできる。
【００１２】
請求項４の考案によると、比較的自然な姿勢で、把手を握って、バルブの開閉を行うことができる。
【考案を実施するための最良の形態】
【００１３】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１４】
図１〜図６を参照して、本考案に係るバルブ開閉具について説明する。このうち、図１は、バルブ開閉具１を正面から見た断面図である。図２は、バルブ開閉具１を下方から見た図である。図３は、バルブ開閉具１の開閉具本体２を斜め下方から見た斜視図である。図４は、第１の嵌合部２４によって開閉する自動給水栓５０のバルブのノブ５１を説明する斜視図である。図５は、第２の嵌合部３２によって開閉する流量調整弁５５のバルブのノブ５６を説明する正面図である。図６は、同じく流量調整弁５５のバルブのノブ５６を説明する斜視図である。
【００１５】
これらの図に示すように、バルブ開閉具１は、開閉具本体２とこの開閉具本体から上方に延びるハンドル３とを備えており、さらに、開閉具本体２は、内側から順に第１の部材１１、第２の部材１２、第３の部材１３を有している。
【００１６】
第１の部材１１は、上から順に、頂部２１と、円筒状部２２と、拡開部２３と、第１の嵌合部２４とを有している。頂部２１は、ほぼ円板状に形成されていて、その中央には、後述するハンドル３の下端部のねじ部２５が貫通される透孔２６が穿設されている。円筒状部２２は、上述の頂部２１の周端縁から下方に延びるように形成されていて、周方向に２等分する位置のそれぞれに透孔２７が穿設されている。これらの２個の透孔２７には、第１の部材１１と第２の部材１２と第３の部材１３とを固定するボルト３４が貫通される。拡開部２３は、上述の円筒状部２２の下端から外側に広がるように拡開している。第１の嵌合部２４は、上述の拡開部２３の下端から下方に延びるように形成されている。第１の嵌合部２４は、六角筒状に形成されていて、下方に向けて開放されている。
【００１７】
第２の部材１２は、上から順に、円筒状部３０と、拡開部３１と、第２の嵌合部３２とを有している。円筒状部３０は、頂部は有しておらず、上述の第１の部材１１の円筒状部２２の外側を囲むように配置されている。円筒状部３０には、周方向に２等分する位置のそれぞれに透孔３３が穿設されている。これらの２個の透孔３３には、第１の部材１１と第２の部材１２と第３の部材１３とを固定するボルト３４が貫通されている。拡開部３１は、上述の円筒状部３０の下端から外側に広がるように拡開している。拡開部３１は、上述の第１の部材１１の拡開部２３に重なるように配置されていて、拡開部２３よりも長く形成されている。第２の嵌合部３２は、上述の拡開部３１の下端から下方に延びるように形成されている。第２の嵌合部３２は、円筒状に形成されていて、下方に向けて開放されている。第２の嵌合部３２の下端縁３５には、これを周方向に６等分する位置のそれぞれに切欠き部３６が形成されている。各切欠き部３６は、等脚台形状に形成されていて、下側ほぼ幅が広くなっている。
【００１８】
第３の部材１３は、上から順に頂部３７と、円筒状部３８と、拡開部４０とを有している。頂部３７は、ほぼ円板状に形成されていて、その中央には、後述するハンドル３の下端部のねじ部２５が貫通される透孔４１が穿設されている。円筒状部３８は、上述の頂部３７の周端縁から下方に延びるように形成されていて、上述の第２の部材１２の円筒状部３０の外側を囲むように配置されている。円筒状部３８には、周方向に２等分する位置のそれぞれに透孔４２が穿設されている。これらの２個の透孔４２には、第１の部材１１と第２の部材１２と第３の部材１３とを固定するボルト３４が貫通される。拡開部４０は、上述の円筒状部３８の下端から外側に広がるように拡開している。拡開部４０は、上述の第２の部材１２の拡開部３１に沿って配置されている。
【００１９】
上述の第１の部材１１と第２の部材１２と第３の部材１３とは、それぞれの２個の透孔２７，３３，４２を貫通する２本のボルト３４及びこの先端に螺合されるナット４３によって固定され、全体として開閉具本体２を構成している。
【００２０】
ハンドル３は、開閉具本体２から上方に延びるように配設されている。ハンドル３は、「Ｔ」字形に形成されていて、上端に把手４４が設けてある。また、下端には、ねじ部２５が形成されていて、このねじ部２５は、開閉具本体２の第１の部材１１、第３の部材１３の透孔２６，４１を貫通するとともに、２個のナット４５が螺合されている。ハンドル３は、第１の部材１１の頂部２１の下面側、及び第３の部材１３の頂部３７の上面側に螺合したナット４５を締め付けることで、開閉具本体２に固定されている。ハンドル３は、開閉具本体２の下端を着地させた状態で、かつ使用者が直立姿勢で腕を垂らした状態において、把手４４が手の近傍に位置するような長さに形成されている。
【００２１】
図４は、自動給水栓５０の上部の一部を斜め上方から見た斜視図である。自動給水栓５０は、上方に突出したノブ５１を回転させることで、水田の水位を調整できるようになっている。同図に示すように、ノブ５１は、ほぼ六角形に形成されていて、上述のバルブ開閉具１の第１の部材１１の第１の嵌合部２４の内側にちょうど嵌まる形状となっている。バルブ開閉具１の使用に際し、使用者は、ハンドル３の把手４４を手で握り、第１の嵌合部２４を上方からノブ５１に嵌合させる。その後、把手４４を右回転又は左回転することにより、第１の嵌合部２４を介して、ノブ５１を右回転又は左回転させることができる。これにより、自動給水栓５０は、水田の水の高水位と低水位とを設定することができ、水田の水の水位がこの間となるように自動的に給水を行うことができる。
【００２２】
図５は、流量調整弁５５を正面側から見た図であり、図６は、斜め上方から見た図である。第２のバルブとしての流量調整弁５５において、水を吐出する排水管５８は、上部にねじ部６０が螺刻されていて、上端の排出口（不図示）は開口されている。ねじ部６０には、ノブ５６が螺合されており、そのねじ込み量を調整することで、排水口の開放量を変更し、排水管５８から排水される水の流量を調整できるようになっている。上述のノブ５６は、その上部がほぼ円錐台状に形成されていて、周方向に６等分する位置のそれぞれに係合凸部５７が突設されている。これら係合凸部５７は、バルブ開閉具１の第２の部材１２の第２の嵌合部３２を、ノブ５６に上方から嵌合させたときに、切欠き部３６が係合されるようになっている。バルブ開閉具１の使用に際し、使用者は、ハンドル３の把手４４を手で握り、第２の嵌合部３２を上方からノブ５６に嵌合させて、係合凸部５７に切欠き部３６を係合させる。その後、把手４４を右回転又は左回転することにより、第２の嵌合部３２を介して、ノブ５６を右回転又は左回転させることができる。これにより、流量調整弁５５は、水田に供給する水の流量を調整することができる。
【００２３】
以上説明したように、本実施形態によると、それぞれ大きさが異なる自動給水栓５０、流量調整弁５５のノブ５１，５６を、共通のバルブ開閉具１で開閉することができる。また、ハンドル３が付いているので、これを使用することで操作性を高めることができる。また、ハンドル３の長さを上述のように設定したので、比較的自然な姿勢で、把手４４を握って、ノブ５１，５６を調整することができる。
【００２４】
上述では、第１の部材１１、第２の部材１２、第３の部材１３を個別に形成し、これらを組み合わせ、ボルト３４及びナット４３で締結して開閉具本体２を構成した場合を例に説明したが、これに代えて、第１の部材１１、第２の部材１２、第３の部材１３を一体的に構成することもできる。
【図面の簡単な説明】
【００２５】
【図１】バルブ開閉具を正面から見た断面図である。
【図２】バルブ開閉具を下方から見た図である。
【図３】バルブ開閉具の開閉具本体を斜め下方から見た斜視図である。
【図４】第１の嵌合部によって開閉する自動給水栓のバルブのノブを説明する斜視図である。
【図５】第２の嵌合部によって開閉する流量調整弁のバルブのノブを説明する正面図である。
【図６】同じく流量調整弁のバルブのノブを説明する斜視図である。
【符号の説明】
【００２６】
１          バルブ開閉具
２          開閉具本体
３          ハンドル
２１，３７  頂部
２４        第１の嵌合部
３２        第２の嵌合部
３５        下端縁
３６        切欠き部
４４        把手
５０        自動給水栓（第１のバルブ）
５１，５６  ノブ
５５        流量調整弁（第２のバルブ）
【図１】
0003132470.tif 000003
【図２】
0003132470.tif 000004
【図３】
0003132470.tif 000005
【図４】
0003132470.tif 000006
【図５】
0003132470.tif 000007
【図６】
0003132470.tif 000008